(57)【特許請求の範囲】
【請求項１】
弧状にした枕の両端を、臥位姿勢時の頭部を覆うように設置される支持フレームと前記支持フレームに備えられた一本の支軸と前記一本の支軸に装着された一対の吊り具にて前記弧状にした枕の両端を吊り下げて振り子体とすることにより前記弧状にした枕の枕上で頭部を回転させて首をねじる運動において、頭部の回転により前記弧状にした枕の頭部接受面と揺動円軌道とを一致あるいは近似させることにより頭部の位置移動および首の屈曲を生じさせない機能を備えた臥位姿勢にて首をねじる運動用の枕において、
前記弧状にした枕を、臥位姿勢時の頭部の両側に立設された支持フレームと前記支持フレームのそれぞれの上部に備えられた支軸と支軸のそれぞれに装着された一対の吊り具にて前記支軸どうしの間隔よりも長くした弧状の枕の両端を吊り下げて二本の支軸を用いた振り子枕においても円軌道に近似して揺動する機能を備えたことを特徴とする臥位姿勢にて首をねじる運動用の枕。
【請求項２】
請求項１の弧状にした枕に、頭部を効果的に接受するための堤状の突起を設置したことを特徴とする臥位姿勢にて首をねじる運動用の枕。
【発明の詳細な説明】
【技術分野】
【０００１】  本発明は、臥位姿勢にて頭部を回転させて首をねじる運動に用いる枕に関する。
【背景技術】
【０００２】  従来の、臥位姿勢にて頭部を回転させて首をねじる運動に用いる枕のなかには定置式の枕とか特許文献１のような一対のローラーと、ローラーに装着された無端帯からなる枕がある。【０００３】  上記、ローラーとローラーに装着された無端帯からなる枕においては、無端帯上で頭部を回転させると頭部の回転により無端帯を移動させることにより頭部の位置移動が生じないないことにより首を屈曲させないで首をねじることができる。
【先行技術文献】
【特許文献】
【０００４】
【特許文献１】特許第５４２８号
【発明の概要】
【発明が解決しようとする課題】
【０００５】  上述した定置式の枕においては、臥位姿勢にての首をねじる運動時に枕上で頭部を回転させると頭部は枕上を転がるように移動することにより首が屈曲するため立位姿勢、座位姿勢にて首をねじる運動のように首を屈曲させないで首をねじるのが困難であった。【０００６】  また、ローラーとローラーに装着された無端帯からなる特許文献１の枕においては、頭部を回転させるための間隔を考慮して配設されるローラーは、円滑性、耐久性はもとよりローラーに装着された無端帯の上下が接触しないための径が必要なため部品コストが高いという問題があった。【０００７】  また、自在性を有する無端帯においては、頭部を効果的に接受するための堤状の突起を付設するとローラーに円滑に巻き込めなくなるという問題があった。【０００８】  上記問題点より本発明の課題は、臥位姿勢にても立位、座位姿勢と同様に首を屈曲させないで首をねじる運動動作が可能な枕を、頭部を効果的に接受するための堤状の突起を設置することが可能な剛体部材を用いるとともに、ローラーを用いない構成にて実現して提供することが目的である。
【課題を解決するための手段】
【０００９】  上述した定置式の枕にての首をねじる運動時に首が屈曲する問題の解決手段は、枕を一ヶ所の固定点、あるいは二ヶ所の固定点に装着された一対の吊り具にておもり体の両側を吊り下げる構成の振り子体としたものである。【００１０】  上記、一ヶ所の固定点に装着された一対の吊り具にて吊り下げられた枕の頭部接受面を揺動軌道に一致させるために枕を弧状にしたものである。【００１１】  上記、弧状にした枕を、二ヶ所の固定点に装着された一対の吊具にて吊り下げる場合には固定点どうしの間隔よりも長くした弧状の枕の両端を吊り下げることにより弧状の頭部接受面に近似させて揺動するようにしたものである。
【発明の効果】
【００１２】  本発明の、弧状にした枕を一本の支軸、あるいは二本の支軸に装着された一対の吊り具にて吊り下げて振り子体とすることにより弧状にした枕上で首をねじる運動のために頭部を回転させると、頭部の回転により弧状にした枕を移動させることにより頭部の位置移動が生じないため立位姿勢、座位姿勢にて首をねじる運動動作と同様に首を屈曲させないでねじる運動ができる。【００１３】  上記、振り子体とする構成においては、ローラーを用いないため部品コストを低くすることができる。【００１４】  弧状の枕は剛体とすることができるため頭部の接受を効果的にするための堤状の突起を接受面に設置しても支障が生じない。【００１５】  また、弧状の枕を、臥位姿勢時の頭部の両側に位置させて立設された支持フレームのそれぞれの上部に備えられた支軸に装着された一対の吊り具にて前記、支軸どうしの間隔よりも長くした弧状の枕の両端を吊り下げることにより弧状の枕の頭部接受面と揺動軌道とを近似させて揺動させることができる。
【図面の簡単な説明】
【００１６】
【図１】弧状にした枕の両端を一本の支軸に装着された吊り具にて吊り下げた枕の斜視図である。
【図２】弧状にした枕の両端を二本の支軸のそれぞれに装着された吊り具にて吊り下げた枕の斜視図である。
【図３】弧状にした枕の頭部接受面に堤状の突起を設置した枕の斜視図である。
【発明を実施するための形態】
【００１７】  以下に本発明の実施形態について、図面を参照して説明する。なお、本発明は本実施形態に限定されるものではない。
【００１８】  図１においては、基台１に設置された支持フレーム２を用いて臥位姿勢時の頭部上空に設置された一本の支軸４に装着された一対の吊り具３ａ３ｂにて弧状にした枕７の両端を吊り下げて振り子体としたものである。
【００１９】  図２においては、前記弧状にした枕７を、臥位姿勢時の頭部の左右に位置するように基台１の左右に立設された支持フレーム５ａ、５ｂのそれぞれの上部に設置された支軸４ａ４ｂに装着された一対の吊り具６ａ６ｂにて、支軸４ａ４ｂどうしの間隔よりも長くした弧状にした枕７の両端を吊り下げることにより二ヶ所の固定点にて構成される振り子構造においても、弧状にした枕を円軌道に近似して揺動するようにしたものである。
【００２０】  図３においては、弧状にした枕７の頭部接受面に堤状の突起８を設置したものである。
【００２１】  上記、弧状の枕の部材としては、プラスチック、木材を用いて造ることができる。
【００２２】  上記、吊り具としては、帯状、ひも状、くさり状、パネル状の部材を用いることができる。
【符号の説明】
【００２３】  １                        基台
２、５ａ５ｂ              支持フレーム
３ａ、３ｂ、６ａ、６ｂ    吊り具
４、４ａ４ｂ              支軸
７                        弧状にした枕
８                        堤状の突起
【要約】
【課題】臥位姿勢時においても、立位、座位姿勢にて頭部を回転させて首をねじる運動動作と同様に、頭部の位置移動および首の屈曲を生じさせないで首をねじる運動ができる枕を提供する。
【解決手段】弧状にした枕を一ヶ所の固定点、あるいは二ヶ所の固定点にて構成される振り子体とするとともに、前記二ヶ所の固定点にて構成される振り子体とする場合においては、二ヶ所の固定点と固定点どうしの間隔よりも長くした弧状の枕の両端とを、一対の吊り具にて連結して吊り下げるようにしたものである
【選択図】図２【図１】
0006892979.tif 000002
【図２】
0006892979.tif 000003
【図３】
0006892979.tif 000004